(57)【特許請求の範囲】
【請求項１】
主体を含み、前記主体の左端面には主体ヘッドが固定的に設置され、前記主体の中には作業空間が設置され、前記主体ヘッドの中には左右に貫通した搬送溝が形成され、前記搬送溝は前記作業空間を連通し、
前記搬送溝の中には不織布袋を置くことができ、前記不織布袋の右端には第一永久磁石が固定的に設置され、前記第一永久磁石には外数に開口した挿入穴が上下対称に設置され、前記第一永久磁石には第二永久磁石が上下対称に、且つ吸着できるように装着され、前記第二永久磁石には前記挿入孔の中に伸びることができるプラグが固定的に設置され、前記第二永久磁石の右端には提手バックルが固定的に設置され、前記主体ヘッドの中には前記不織布袋を前記作業空間の中に搬送し、且つ前記提手バックルを取り外すことができる搬送分解機構が設置され、
前記作業空間の頂壁の中には第一伝動空間が設置され、前記第一伝動空間と前記作業空間との間には下数折畳機構が設置され、前記下数折畳機構は前記提手バックルを取り外した後の前記不織布袋を下数へ一回折り畳み、且つ前記第二永久磁石を一個回収でき、前記下数折畳機構は前記作業空間を含み、前記作業空間の中には第一スライド板がスライド可能に設置され、前記第一スライド板の底面には押出板が固定的に設置され、前記作業空間の底壁は第一凹溝が連通するように形成され、前記押出板が下数へスライドした後に、前記提手バックルを取り外した前記不織布袋は折り畳まれて前記第一凹溝の中に押し込まれ、前記第一凹溝の左側端壁には第一スライド孔が連通するように設置され、前記作業空間の右側端壁には右数に開口したスライド空間が設置され、前記スライド空間と前記第一凹溝との間には第二凹溝が連通するように形成され、前記第一スライド孔と前記第二凹溝との間には右数折畳機構が設置され、前記右数折畳機構は一回折り畳まれた前記不織布袋をもう一回右数に折り畳み、且つ前記第二永久磁石を一個回収でき、前記第一スライド孔の中には磁石推動棒がスライド可能に設置され、前記磁石推動棒が右数へスライドした後に、一回折り畳まれた前記不織布袋は前記第二凹溝の中に押し込まれ、
前記スライド空間の中には回収箱がスライド可能に設置され、前記回収箱の中には左右に貫通した第一回収溝が形成され、前記スライド空間と前記第一スライド孔との間には包装固定機構が設置され、前記包装固定機構は二回折り畳まれた前記不織布袋を前記第一回収溝の中に回収することができ、
前記搬送分解機構は前記主体ヘッドを含み、前記搬送溝の上数に位置する前記主体ヘッドの左端面にはレーザセンサが固定的に設置され、前記レーザセンサは前記搬送溝の中に前記不織布袋が置いてあるかどうかを検知でき、前記搬送溝の頂壁には第二伝動空間が連通するように設置され、前記第二伝動空間の中には前後数向に延在した第一回転軸が回転可能に設置され、前記第一回転軸には第一摩擦輪が固定的に設置され、前記搬送溝の底壁には第三伝動空間が連通するように設置され、前記第三伝動空間の後側端壁には前記レーザセンサと通電可能に連結された第一モータが固定的に設置され、前記第一モータの前端には第一駆動軸が伝動可能に連結され、前記第一駆動軸には第一プーリが固定的に設置され、前記第三伝動空間の左側には前後数向に延在した第二回転軸が回転可能に設置され、前記第二回転軸には第二プーリが固定的に設置され、前記第二プーリと前記第一プーリとの間には第一ベルトが伝動可能に連結されており、
前記第一伝動空間と前記搬送溝との間には上下数向に延在した第一抜き穴が連通するように設置され、前記第一抜き穴の頂壁には前記第二永久磁石を吸引できる第三永久磁石が固定的に設置され、前記第三伝動空間の右端壁には前記搬送溝と連通した第二抜き穴が設置され、前記第二抜き穴の底壁には前記第二永久磁石を吸引できる第四永久磁石が固定的に設置され、前記主体ヘッドの後端面には固定かごが固定的に設置され、前記固定かごの中には上数に開口した第二回収溝が形成され、前記第二回収溝と前記第一抜き穴との間には第二スライド孔が連通するように設置され、前記第二回収溝と前記第二抜き穴との間には第三スライド孔が連通するように設置されており、
前記下数折畳機構は前記作業空間を含み、前記作業空間と前記第一伝動空間との間の端壁の中には第二モータが固定的に設置され、前記第二モータは前記レーザセンサと通電可能に連結され、前記第二モータの底端にはスクリューが伝動可能に連結され、前記第一スライド板の中には前記スクリューと噛み合った雌ねじが設置され、前記第二モータの頂端には第二駆動軸が伝動可能に連結され、前記第二駆動軸には第三プーリが固定的に設置され、前記第一伝動空間の左端には上下数向に延在した第三回転軸が回転可能に設置され、前記第三回転軸には第四プーリと前記第四プーリの下数に位置する第一カムとが固定的に設置され、前記第四プーリと前記第三プーリとの間には第二ベルトが伝動可能に連結されており、
前記右数折畳機構は前記第一凹溝を含み、前記第一凹溝の底壁にはスイッチが固定的に設置され、前記第二抜き穴の右端壁には第四伝動空間が連通するように設置され、前記第四伝動空間と前記第一スライド孔との間の端壁の中には前記スイッチと通電可能に連結された環状電磁石が固定的に設置され、前記第四伝動空間の底壁には上数に延在した第四回転軸が回転可能に設置され、前記第四回転軸には第一リールと前記第一リールの下数に位置する第二カムとが固定的に設置され、前記第二カムと前記第四伝動空間の底壁との間には第一捻りばねが連結され、前記第一リールと前記磁石推動棒との間には第一鋼線が連結されており、
前記包装固定機構は前記スライド空間を含み、前記第二凹溝の底壁には前記スライド空間を連通した第四スライド孔が設置され、前記第四スライド孔の中には推動棒がスライド可能に設置され、前記推動棒と前記第四スライド孔の左端壁との間には第一ばねが連結され、前記スライド空間の中には第二スライド板がスライド可能に設置され、前記第二スライド板と前記スライド空間の底壁との間には第二ばねが連結され、前記第二スライド板には前記回収箱を装着でき、前記第四スライド孔の底壁には前記スライド空間を連通した第五伝動空間が設置され、前記第五伝動空間の中には前後数向に延在した第五回転軸が回転可能に設置され、前記第五回転軸には前記第二スライド板の左端面と摩擦接触できる第二摩擦輪が固定的に設置され、前記第二摩擦輪の前端面には第二リールが固定的に設置され、前記第四スライド孔と前記第五伝動空間との間には線溝が連通するように形成され、前記推動棒と前記第二リールとの間には第二鋼線が連結されており、
前記スライド空間の後側端壁には第六伝動空間が連通するように設置され、前記第六伝動空間の左側端壁の中には第七伝動空間が設置され、前記第七伝動空間と前記第六伝動空間との間には左右数向に延在した第六回転軸が回転可能に設置され、前記第六伝動空間の中にある前記第六回転軸には前記回収箱と摩擦接触できる第三摩擦輪が固定的に設置され、前記第七伝動空間の中にある前記第六回転軸にはラチェットが固定的に設置され、前記第七伝動空間の左側端壁の中には第八伝動空間が設置され、前記第八伝動空間と前記第七伝動空間との間には左右数向に延在した第七回転軸が回転可能に設置され、前記第七伝動空間の中にある前記第七回転軸には前記ラチェットと噛み合った歯止めが回転可能に設置され、前記歯止めと前記第七回転軸の外表面との間には第二捻りばねが連結され、前記第八伝動空間の中にある前記第七回転軸には第一傘歯車が固定的に設置され、前記第一スライド孔の後側端壁には第九伝動空間が連通するように設置され、前記第九伝動空間と前記第八伝動空間との間には上下数向に延在した第八回転軸が回転可能に設置され、前記第八伝動空間の中にある前記第八回転軸には前記第一傘歯車と噛み合った第二傘歯車が固定的に設置され、前記第九伝動空間の中にある前記第八回転軸には円形歯車が固定的に設置され、前記磁石推動棒の後端面には前記円形歯車と噛み合ったラックが固定的に設置されており、
設備全体の作動手順は以下の通りであり、
まず前記不織布袋を前記第一ベルトと前記第一摩擦輪との間に置き、前記不織布袋を置いた後に、前記レーザセンサは検知で前記第一モータをしばらく作動させ、前記第二モータはしばらく経った後に作動し、
前記第一モータは前記第一駆動軸を回転連動させ、前記第一駆動軸は前記第一プーリを回転連動させ、前記第一プーリは前記第一ベルトを回転連動させ、この時、前記第一ベルトは前記不織布袋を右方へ前記作業空間の中に送り、前記不織布袋にある前記第一永久磁石が前記第一抜き穴と前記第二抜き穴とが面一になる時、前記第三永久磁石は前記不織布袋の上方にある前記第二永久磁石を吸引し、前記第四永久磁石は前記不織布袋の下方にある前記第二永久磁石を吸引し、即ち、この時に上下の前記第二永久磁石が第一永久磁石と離れ、第二永久磁石が前記提手バックルを連動させて前記不織布袋から取り外し、設備は自動的に前記提手バックルを取り外すことができ、折り畳む時に前記提手バックルの妨害を受けるためシワ  を生じることはなく、取り外し可能な前記提手バックルは使用中に壊れても取り替えられることができ、汎用性が強く、
次に、前記第二永久磁石を取り外した前記不織布袋は右方へスライドして前記作業空間の中に入り、且つ前記第一凹溝の真上方に位置し、この時に、前記第二モータは前記第二駆動軸と前記スクリューとを連動させて一回正逆回転させ、前記スクリューは前記雌ねじによって前記第一スライド板を連動させて上下にスライドさせ、前記押出板は前記第一スライド板に駆動されて下方へ前記第二永久磁石を取り外した前記不織布袋を前記第一凹溝の中に押し込み、そして上方へ初期位置に戻り、
それと同時に、前記第二駆動軸は前記第三プーリを回転連動させ、前記第三プーリは前記第二ベルトによって前記第四プーリを回転連動させ、前記第四プーリは前記第一カムを回転連動させ、前記第一カムが回転した後に前記第三永久磁石の吸着した前記第二永久磁石を前記第二スライド孔の中に叩き込み、前記第二永久磁石は前記第二スライド孔を通過した後に前記第二回収溝の中に入り、設備は運動エネルギーに対する利用率が高く、前記不織布袋を置く前に顧客は手動で前記第二永久磁石を取り外す必要がなく、設備は自動的に前記提手バックルを回収でき、簡単で便利であり、
前記不織布袋が前記第一凹溝に押し込まれて一回折り畳まれた後に、前記不織布袋は力を受けて前記スイッチを圧迫し、前記スイッチは圧迫を受けた後に、前記環状電磁石は通電して前記磁石推動棒を排斥し、前記磁石推動棒が右方へスライドして前記第一凹溝の中にある前記不織布袋を右方へ前記第二凹溝の中に押し込んで第二回の折畳を行い、二回折り畳まれた前記不織布袋の占めたスペースが少なく、収納に便利であり、
それと同時に、前記磁石推動棒は右方へスライドし、且つ前記第一鋼線を通じて前記第一リールを回転連動させ、前記第一リールは前記第二カムを回転連動させ、前記第二カムが回転した後に、前記第四永久磁石の吸着した前記第二永久磁石は前記第三スライド孔の中に叩き込まれ、前記第二永久磁石は前記第三スライド孔を通過して前記第二回転溝の中に入り、
前記第二凹溝の中にある二回畳まれた前記不織布袋が右方へスライドして前記第一回収溝の中に伸びることができ、この時に、前記第一回収溝は折り畳まれた前記不織布袋を固定し、前記不織布袋が自身の弾性で折畳状態を解くことを避け、設備は折り畳まれた前記不織布袋を統一に固定し、回収された前記不織布袋は整然であり、
次に、前記環状電磁石は停電され、前記磁石推動棒は前記第一捻りばねの捻りによって左方へスライドし、前記磁石推動棒が左方へスライドした後に、前記磁石推動棒は前記ラックによって前記円形歯車を回転連動させ、前記円形歯車は前記第二傘歯車を回転連動させ、前記第二傘歯車は前記第一傘歯車と前記歯止めとを回転連動させ、この時に前記歯止めは前記ラチェットを回転連動させることができ、前記ラチェットは前記第三摩擦輪を回転連動させ、前記第三摩擦輪が前記回収箱を連動させて下方へ一定の距離をスライドさせ、即ち、前記右方折畳機構が二次折畳を完成した後に、前記回収箱は一定の距離を降下し、前記不織布袋に押し込まれていない前記第一回収溝を前記第二凹溝と同じ水平線に位置させ、前記回収箱の中にある前記第一回収溝の中にいずれも折り畳まれた前記不織布袋を押し込んだ後に、前記第二スライド板が下方へスライドし、前記第二摩擦輪と摩擦でき、前記第二スライド板は前記第二摩擦輪を回転連動させ、前記第二摩擦輪は前記第二リールを回転連動させ、前記第二リールが回転し、前記第二鋼線を緩み、前記第二鋼線が緩められた後に、前記推動棒は前記第一ばねの弾力によって右方へスライドし、前記回収箱を前記スライド空間の中から押し出し、前記回収箱が前記スライド空間から押し出された後に、前記第二スライド板が前記第二ばねの弾力によて初期位置に戻り、前記回収箱を再び前記第二スライド板に取り付け、前記包装固定機構は引き続き作動し、設備は高い自動化レベルと、素早い反応速度と、簡単明白な操作方法を有することを特徴とする不織布袋用の多層折畳と固定設備。
【発明の詳細な説明】
【技術分野】
【０００１】
本願発明は不織布の回収と収納分野を取り上げ、具体的には不織布袋用の多層折畳と固定設備である。
【背景技術】
【０００２】
周知のよう、不織布袋はエコ製品の一種であり、その耐久性・美観性・通気性・循環利用可能などの良さで日常生活に広く利用されている。しかし、生産コストの面では、不織布袋は普通のビニール袋より生産コストが遥かに高い。一般的な大型スーパーは、プラスチック汚染を緩和するため、普通のビニール袋の使用を控え、着々と消費者に不織布袋を提供するようになった。また、伝統的な不織布袋を回収する時に、使用者は自ら袋を畳んで統一回収用の回収箱に捨てる必要があり、しかし、不織布袋は一定の弾性を帯びているため、手動で畳まれた不織布袋は広がり、一見回収箱は不織布袋で満たされたが、本当は数少ない不織布袋しか置かれない。そして不織布袋を再び消費者に提供する時に、まだしも広がった袋を畳んで手渡す必要があり、効率が悪く、時間と手間がかかる。さらに、伝統的な不織布袋は一体化したものであるが、不織布袋における最も損害しやすい部分は提手バックルである。伝統的な不織布袋の提手バックルが折れたら、使用できなくなり、そして使用できない不織布袋はポイ捨てされ、もし提手バックルを交換できれば、消費者はスーパーで提手バックルだけを交換するようになり、新品の不織布袋を購入する必要がない。従って、不織布袋用の多層折畳と固定設備を設計して、上記の問題を解決する必要がある。
【先行技術文献】
【特許文献】
【０００３】
【特許文献１】中国特許出願公開第１０２０７９３２２号明細書
【発明の概要】
【発明が解決しようとする課題】
【０００４】
不織布袋用の多層折畳と固定設備を提供し、不織布袋を折畳むことができ、同時に折り畳まれた不織布袋を統一に固定し収納でき、設備は反応が素早く、自動化レベルが高い。
【課題を解決するための手段】
【０００５】
本願発明は以下の技術的解決策で実現される。
【０００６】
本願発明の不織布袋用の多層折畳と固定設備は、主体を含み、前記主体の左端面には主体ヘッドが固定的に設置され、前記主体の中には作業空間が設置され、前記主体ヘッドの中には左右に貫通した搬送溝が形成され、前記搬送溝は前記作業空間を連通し、前記搬送溝の中には不織布袋を置くことができ、前記不織布袋の右端には第一永久磁石が固定的に設置され、前記第一永久磁石には外方に開口した挿入穴が上下対称に設置され、前記第一永久磁石には第二永久磁石が上下対称に、且つ吸着できるように装着され、前記第二永久磁石には前記挿入孔の中に伸びることができるプラグが固定的に設置され、前記第二永久磁石の右端には提手バックルが固定的に設置され、前記主体ヘッドの中には前記不織布袋を前記作業空間の中に搬送し、且つ前記提手バックルを取り外すことができる搬送分解機構が設置され、
前記作業空間の頂壁の中には第一伝動空間が設置され、前記第一伝動空間と前記作業空間との間には下方折畳機構が設置され、前記下方折畳機構は前記提手バックルを取り外した後の前記不織布袋を下方へ一回折り畳み、且つ前記第二永久磁石を一個回収でき、前記下方折畳機構は前記作業空間を含み、前記作業空間の中には第一スライド板がスライド可能に設置され、前記第一スライド板の底面には押出板が固定的に設置され、前記作業空間の底壁は第一凹溝が連通するように形成され、前記押出板が下方へスライドした後に、前記提手バックルを取り外した前記不織布袋は折り畳まれて前記第一凹溝の中に押し込まれ、前記第一凹溝の左側端壁には第一スライド孔が連通するように設置され、前記作業空間の右側端壁には右方に開口したスライド空間が設置され、前記スライド空間と前記第一凹溝との間には第二凹溝が連通するように形成され、前記第一スライド孔と前記第二凹溝との間には右方折畳機構が設置され、前記右方折畳機構は一回折り畳まれた前記不織布袋をもう一回右方に折り畳み、且つ前記第二永久磁石を一個回収でき、前記第一スライド孔の中には磁石推動棒がスライド可能に設置され、前記磁石推動棒が右方へスライドした後に、一回折り畳まれた前記不織布袋は前記第二凹溝の中に押し込まれ、
前記スライド空間の中には回収箱がスライド可能に設置され、前記回収箱の中には左右に貫通した第一回収溝が形成され、前記スライド空間と前記第一スライド孔との間には包装固定機構が設置され、前記包装固定機構は二回折り畳まれた前記不織布袋を前記第一回収溝の中に回収することができる。
【０００７】
さらに、前記搬送分解機構は前記主体ヘッドを含み、前記搬送溝の上方に位置する前記主体ヘッドの左端面にはレーザセンサが固定的に設置され、前記レーザセンサは前記搬送溝の中に前記不織布袋が置いてあるかどうかを検知でき、前記搬送溝の頂壁には第二伝動空間が連通するように設置され、前記第二伝動空間の中には前後方向に延在した第一回転軸が回転可能に設置され、前記第一回転軸には第一摩擦輪が固定的に設置され、前記搬送溝の底壁には第三伝動空間が連通するように設置され、前記第三伝動空間の後側端壁には前記レーザセンサと通電可能に連結された第一モータが固定的に設置され、前記第一モータの前端には第一駆動軸が伝動可能に連結され、前記第一駆動軸には第一プーリが固定的に設置され、前記第三伝動空間の左側には前後方向に延在した第二回転軸が回転可能に設置され、前記第二回転軸には第二プーリが固定的に設置され、前記第二プーリと前記第一プーリとの間には第一ベルトが伝動可能に連結されている。
【０００８】
さらに、前記第一伝動空間と前記搬送溝との間には上下方向に延在した第一抜き穴が連通するように設置され、前記第一抜き穴の頂壁には前記第二永久磁石を吸引できる第三永久磁石が固定的に設置され、前記第三伝動空間の右端壁には前記搬送溝と連通した第二抜き穴が設置され、前記第二抜き穴の底壁には前記第二永久磁石を吸引できる第四永久磁石が固定的に設置され、前記主体ヘッドの後端面には固定かごが固定的に設置され、前記固定かごの中には上方に開口した第二回収溝が形成され、前記第二回収溝と前記第一抜き穴との間には第二スライド孔が連通するように設置され、前記第二回収溝と前記第二抜き穴との間には第三スライド孔が連通するように設置されている。
【０００９】
さらに、前記下方折畳機構は前記作業空間を含み、前記作業空間と前記第一伝動空間との間の端壁の中には第二モータが固定的に設置され、前記第二モータは前記レーザセンサと通電可能に連結され、前記第二モータの底端にはスクリューが伝動可能に連結され、前記第一スライド板の中には前記スクリューと噛み合った雌ねじが設置され、前記第二モータの頂端には第二駆動軸が伝動可能に連結され、前記第二駆動軸には第三プーリが固定的に設置され、前記第一伝動空間の左端には上下方向に延在した第三回転軸が回転可能に設置され、前記第三回転軸には第四プーリと前記第四プーリの下方に位置する第一カムとが固定的に設置され、前記第四プーリと前記第三プーリとの間には第二ベルトが伝動可能に連結されている。
【００１０】
さらに、前記右方折畳機構は前記第一凹溝を含み、前記第一凹溝の底壁にはスイッチが固定的に設置され、前記第二抜き穴の右端壁には第四伝動空間が連通するように設置され、前記第四伝動空間と前記第一スライド孔との間の端壁の中には前記スイッチと通電可能に連結された環状電磁石が固定的に設置され、前記第四伝動空間の底壁には上方に延在した第四回転軸が回転可能に設置され、前記第四回転軸には第一リールと前記第一リールの下方に位置する第二カムとが固定的に設置され、前記第二カムと前記第四伝動空間の底壁との間には第一捻りばねが連結され、前記第一リールと前記磁石推動棒との間には第一鋼線が連結されている。
【００１１】
さらに、前記包装固定機構は前記スライド空間を含み、前記第二凹溝の底壁には前記スライド空間を連通した第四スライド孔が設置され、前記第四スライド孔の中には推動棒がスライド可能に設置され、前記推動棒と前記第四スライド孔の左端壁との間には第一ばねが連結され、前記スライド空間の中には第二スライド板がスライド可能に設置され、前記第二スライド板と前記スライド空間の底壁との間には第二ばねが連結され、前記第二スライド板には前記回収箱を装着でき、前記第四スライド孔の底壁には前記スライド空間を連通した第五伝動空間が設置され、前記第五伝動空間の中には前後方向に延在した第五回転軸が回転可能に設置され、前記第五回転軸には前記第二スライド板の左端面と摩擦接触できる第二摩擦輪が固定的に設置され、前記第二摩擦輪の前端面には第二リールが固定的に設置され、前記第四スライド孔と前記第五伝動空間との間には線溝が連通するように形成され、前記推動棒と前記第二リールとの間には第二鋼線が連結されている。
【００１２】
さらに、前記スライド空間の後側端壁には第六伝動空間が連通するように設置され、前記第六伝動空間の左側端壁の中には第七伝動空間が設置され、前記第七伝動空間と前記第六伝動空間との間には左右方向に延在した第六回転軸が回転可能に設置され、前記第六伝動空間の中にある前記第六回転軸には前記回収箱と摩擦接触できる第三摩擦輪が固定的に設置され、前記第七伝動空間の中にある前記第六回転軸にはラチェットが固定的に設置され、前記第七伝動空間の左側端壁の中には第八伝動空間が設置され、前記第八伝動空間と前記第七伝動空間との間には左右方向に延在した第七回転軸が回転可能に設置され、前記第七伝動空間の中にある前記第七回転軸には前記ラチェットと噛み合った歯止めが回転可能に設置され、前記歯止めと前記第七回転軸の外表面との間には第二捻りばねが連結され、前記第八伝動空間の中にある前記第七回転軸には第一傘歯車が固定的に設置され、前記第一スライド孔の後側端壁には第九伝動空間が連通するように設置され、前記第九伝動空間と前記第八伝動空間との間には上下方向に延在した第八回転軸が回転可能に設置され、前記第八伝動空間の中にある前記第八回転軸には前記第一傘歯車と噛み合った第二傘歯車が固定的に設置され、前記第九伝動空間の中にある前記第八回転軸には円形歯車が固定的に設置され、前記磁石推動棒の後端面には前記円形歯車と噛み合ったラックが固定的に設置されている。
【発明の効果】
【００１３】
本願発明は以下のプラス効果を有する：本願発明である設備は不織布袋の提手バックルを取り出した後に袋に二次畳みを行い、折り畳まれた不織布袋は統一に回収箱に収納され、そして設備は折り畳まれた不織布袋を固定し、設備によって回収された不織布袋は整然であり、同時に二次畳みされた後の不織布袋が占めるスペースは少なく、保存と収納に便利であり、また、設備は運動エネルギーに対する利用率が高く、不織布袋を置く前に顧客は手動で第二永久磁石を取り外し必要がなく、さらに、設備は自動的に提手バックルを回収でき、簡便であり、ほかにも、設備全体は自動化レベルが高く、反応が素早く、操作が明白で簡単である。
【図面の簡単な説明】
【００１４】
下記に図１〜７を合わせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本願発明の実施例の機械構成略図
【図２】図２は図１におけるＤの拡大構成略図
【図３】図３は図１におけるＥの拡大構成略図
【図４】図４は図１のおけるＣ―Ｃの構成略図
【図５】図５は図４におけるＦ―Ｆの構成略図
【図６】図６は図１におけるＢ―Ｂの構成略図
【図７】図７は図１におけるＡ―Ａの構成略図
【発明を実施するための形態】
【００１６】
図１〜７を合わせ、本願に記載された不織布袋用の多層折畳と固定設備は、主体４０を含み、前記主体４０の左端面には主体ヘッド１８が固定的に設置され、前記主体４０の中には作業空間３６が設置され、前記主体ヘッド１８の中には左右に貫通した搬送溝５３が形成され、前記搬送溝５３は前記作業空間３６を連通し、
前記搬送溝５３の中には不織布袋５４を置くことができ、前記不織布袋５４の右端には第一永久磁石５８が固定的に設置され、前記第一永久磁石５８には外方に開口した挿入穴５９が上下対称に設置され、前記第一永久磁石５８には第二永久磁石６２が上下対称に、且つ吸着できるように装着され、前記第二永久磁石６２には前記挿入孔５９の中に伸びることができるプラグ６０が固定的に設置され、前記第二永久磁石６２の右端には提手バックル６１が固定的に設置され、前記主体ヘッド１８の中には前記不織布袋５４を前記作業空間３６の中に搬送し、且つ前記提手バックル６１を取り外すことができる搬送分解機構９９が設置され、
前記作業空間３６の頂壁の中には第一伝動空間４５が設置され、前記第一伝動空間４５と前記作業空間３６との間には下方折畳機構９８が設置され、前記下方折畳機構９８は前記提手バックル６１を取り外した後の前記不織布袋５４を下方へ一回折り畳み、且つ前記第二永久磁石６２を一個回収でき、前記下方折畳機構９８は前記作業空間３６を含み、前記作業空間３６の中には第一スライド板３８がスライド可能に設置され、前記第一スライド板３８の底面には押出板４４が固定的に設置され、前記作業空間３６の底壁は第一凹溝７２が連通するように形成され、前記押出板４４が下方へスライドした後に、前記提手バックル６１を取り外した前記不織布袋５４は折り畳まれて前記第一凹溝７２の中に押し込まれ、
前記第一凹溝７２の左側端壁には第一スライド孔６４が連通するように設置され、前記作業空間３６の右側端壁には右方に開口したスライド空間３３が設置され、前記スライド空間３３と前記第一凹溝７２との間には第二凹溝７３が連通するように形成され、前記第一スライド孔６４と前記第二凹溝７３との間には右方折畳機構９６が設置され、前記右方折畳機構９６は一回折り畳まれた前記不織布袋５４をもう一回右方に折り畳み、且つ前記第二永久磁石６２を一個回収でき、前記第一スライド孔６４の中には磁石推動棒６６がスライド可能に設置され、前記磁石推動棒６６が右方へスライドした後に、一回折り畳まれた前記不織布袋５４は前記第二凹溝７３の中に押し込まれ、
前記スライド空間３３の中には回収箱３４がスライド可能に設置され、前記回収箱３４の中には左右に貫通した第一回収溝３５が形成され、前記スライド空間３３と前記第一スライド孔６４との間には包装固定機構９７が設置され、前記包装固定機構９７は二回折り畳まれた前記不織布袋５４を前記第一回収溝３５の中に回収することができる。
【００１７】
前記搬送分解機構９９は前記主体ヘッド１８を含み、前記搬送溝５３の上方に位置する前記主体ヘッド１８の左端面にはレーザセンサ１３が固定的に設置され、前記レーザセンサ１３は前記搬送溝５３の中に前記不織布袋５４が置いてあるかどうかを検知でき、前記搬送溝５３の頂壁には第二伝動空間５０が連通するように設置され、前記第二伝動空間５０の中には前後方向に延在した第一回転軸５２が回転可能に設置され、前記第一回転軸５２には第一摩擦輪５１が固定的に設置され、前記搬送溝５３の底壁には第三伝動空間１４が連通するように設置され、前記第三伝動空間１４の後側端壁には前記レーザセンサ１３と通電可能に連結された第一モータ５５が固定的に設置され、前記第一モータ５５の前端には第一駆動軸５７が伝動可能に連結され、前記第一駆動軸５７には第一プーリ５６が固定的に設置され、前記第三伝動空間１４の左側には前後方向に延在した第二回転軸１６が回転可能に設置され、前記第二回転軸１６には第二プーリ１５が固定的に設置され、前記第二プーリ１５と前記第一プーリ５６との間には第一ベルト１７が伝動可能に連結されている。
【００１８】
前記第一伝動空間４５と前記搬送溝５３との間には上下方向に延在した第一抜き穴１２が連通するように設置され、前記第一抜き穴１２の頂壁には前記第二永久磁石６２を吸引できる第三永久磁石１０が固定的に設置され、前記第三伝動空間１４の右端壁には前記搬送溝５３と連通した第二抜き穴１９が設置され、前記第二抜き穴１９の底壁には前記第二永久磁石６２を吸引できる第四永久磁石２１が固定的に設置され、前記主体ヘッド１８の後端面には固定かご８９が固定的に設置され、前記固定かご８９の中には上方に開口した第二回収溝９０が形成され、前記第二回収溝９０と前記第一抜き穴１２との間には第二スライド孔１１が連通するように設置され、前記第二回収溝９０と前記第二抜き穴１９との間には第三スライド孔２０が連通するように設置され、前記第一摩擦輪５１と前記第一ベルト１７との間に前記不織布袋５４を置くことができ、前記不織布袋５４を置いた後に、前記レーザセンサ１３は検知で前記第一モータ５５をしばらく作動させ、前記第一モータ５５は前記第一駆動軸５７を回転連動させ、前記第一駆動軸５７は前記第一プーリ５６を回転連動させ、前記第一プーリ５６は前記第一ベルト１７を回転連動させ、この時、前記第一ベルト１７は前記不織布袋５４を右方へ前記作業空間３６の中に送り、前記不織布袋５４にある前記第一永久磁石５８が前記第一抜き穴１２と前記第二抜き穴１９とが面一になる時、前記第三永久磁石１０は前記不織布袋５４の上方にある前記第二永久磁石６２を吸引し、前記第四永久磁石２１は前記不織布袋５４の下方にある前記第二永久磁石６２を吸引し、即ち、この時に前記提手バックル６１は前記不織布袋５４から取り外される。
【００１９】
前記下方折畳機構９８は前記作業空間３６を含み、前記作業空間３６と前記第一伝動空間４５との間の端壁の中には第二モータ４１が固定的に設置され、前記第二モータ４１は前記レーザセンサ１３と通電可能に連結され、前記第二モータ４１の底端にはスクリュー３７が伝動可能に連結され、前記第一スライド板３８の中には前記スクリュー３７と噛み合った雌ねじ３９が設置され、前記第二モータ４１の頂端には第二駆動軸４２が伝動可能に連結され、前記第二駆動軸４２には第三プーリ４３が固定的に設置され、前記第一伝動空間４５の左端には上下方向に延在した第三回転軸４９が回転可能に設置され、前記第三回転軸４９には第四プーリ４７と前記第四プーリ４７の下方に位置する第一カム４８とが固定的に設置され、前記第四プーリ４７と前記第三プーリ４３との間には第二ベルト４６が伝動可能に連結され、前記レーザセンサ１３が前記不織布袋５４は前記搬送溝５３の中に置かれたことを検知した後に、しばらく経つと、前記第二モータ４１は前記第二駆動軸４２と前記スクリュー３７とを連動させて一回正逆回転させ、前記スクリュー３７は前記雌ねじ３９によって前記第一スライド板３８を連動させて上下にスライドさせ、前記押出板４４は前記第一スライド板３８に駆動されて下方へ前記第二永久磁石６２を取り外した前記不織布袋５４を前記第一凹溝７２の中に押し込み、そして上方へ初期位置に戻り、それと同時に、前記第二駆動軸４２は前記第三プーリ４３を回転連動させ、前記第三プーリ４３は前記第二ベルト４６によって前記第四プーリ４７を回転連動させ、前記第四プーリ４７は前記第一カム４８を回転連動させ、前記第一カム４８が回転した後に前記第三永久磁石１０の吸着した前記第二永久磁石６２を前記第二スライド孔１１の中に叩き込み、前記第二永久磁石６２は前記第二スライド孔１１を通過した後に前記第二回収溝９０の中に入る。  
【００２０】
前記右方折畳機構９６は前記第一凹溝７２を含み、前記第一凹溝７２の底壁にはスイッチ７１が固定的に設置され、前記第二抜き穴１９の右端壁には第四伝動空間２６が連通するように設置され、前記第四伝動空間２６と前記第一スライド孔６４との間の端壁の中には前記スイッチ７１と通電可能に連結された環状電磁石６３が固定的に設置され、前記第四伝動空間２６の底壁には上方に延在した第四回転軸２３が回転可能に設置され、前記第四回転軸２３には第一リール２２と前記第一リール２２の下方に位置する第二カム２５とが固定的に設置され、前記第二カム２５と前記第四伝動空間２６の底壁との間には第一捻りばね２４が連結され、前記第一リール２２と前記磁石推動棒６６との間には第一鋼線６５が連結され、前記不織布袋５４が前記第一凹溝７２に押し込まれて一回折り畳まれた後に、前記不織布袋５４は力を受けて前記スイッチ７１を圧迫し、前記スイッチ７１は圧迫を受けた後に、前記環状電磁石６３は通電して前記磁石推動棒６６を排斥し、前記磁石推動棒６６が右方へスライドして前記第一凹溝７２の中にある前記不織布袋５４を右方へ前記第二凹溝７３の中に押し込んで第二回の折畳を行い、それと同時に、前記磁石推動棒６６は右方へスライドし、且つ前記第一鋼線６５を通じて前記第一リール２２を回転連動させ、前記第一リール２２は前記第二カム２５を回転連動させ、前記第二カム２５が回転した後に、前記第四永久磁石２１の吸着した前記第二永久磁石６２は前記第三スライド孔２０の中に叩き込まれ、前記第二永久磁石６２は前記第三スライド孔２０を通過して前記第二回転溝９０の中に入る。
【００２１】
前記包装固定機構９７は前記スライド空間３３を含み、前記第二凹溝７３の底壁には前記スライド空間３３を連通した第四スライド孔９１が設置され、前記第四スライド孔９１の中には推動棒６９がスライド可能に設置され、前記推動棒６９と前記第四スライド孔９１の左端壁との間には第一ばね７０が連結され、前記スライド空間３３の中には第二スライド板３２がスライド可能に設置され、前記第二スライド板３２と前記スライド空間３３の底壁との間には第二ばね３１が連結され、前記第二スライド板３２には前記回収箱３４を装着でき、前記第四スライド孔９１の底壁には前記スライド空間３３を連通した第五伝動空間２７が設置され、前記第五伝動空間２７の中には前後方向に延在した第五回転軸３０が回転可能に設置され、前記第五回転軸３０には前記第二スライド板３２の左端面と摩擦接触できる第二摩擦輪２８が固定的に設置され、前記第二摩擦輪２８の前端面には第二リール２９が固定的に設置され、前記第四スライド孔９１と前記第五伝動空間２７との間には線溝６７が連通するように形成され、前記推動棒６９と前記第二リール２９との間には第二鋼線６８が連結されている。
【００２２】
前記スライド空間３３の後側端壁には第六伝動空間７４が連通するように設置され、前記第六伝動空間７４の左側端壁の中には第七伝動空間７７が設置され、前記第七伝動空間７７と前記第六伝動空間７４との間には左右方向に延在した第六回転軸７６が回転可能に設置され、前記第六伝動空間７４の中にある前記第六回転軸７６には前記回収箱３４と摩擦接触できる第三摩擦輪７５が固定的に設置され、前記第七伝動空間７７の中にある前記第六回転軸７６にはラチェット８７が固定的に設置され、前記第七伝動空間７７の左側端壁の中には第八伝動空間８１が設置され、前記第八伝動空間８１と前記第七伝動空間７７との間には左右方向に延在した第七回転軸７８が回転可能に設置され、前記第七伝動空間７７の中にある前記第七回転軸７８には前記ラチェット８７と噛み合った歯止め８６が回転可能に設置され、前記歯止め８６と前記第七回転軸７８の外表面との間には第二捻りばね８５が連結され、前記第八伝動空間８１の中にある前記第七回転軸７８には第一傘歯車７９が固定的に設置され、前記第一スライド孔６４の後側端壁には第九伝動空間８４が連通するように設置され、前記第九伝動空間８４と前記第八伝動空間８１との間には上下方向に延在した第八回転軸８２が回転可能に設置され、前記第八伝動空間８１の中にある前記第八回転軸８２には前記第一傘歯車７９と噛み合った第二傘歯車８０が固定的に設置され、前記第九伝動空間８４の中にある前記第八回転軸８２には円形歯車８３が固定的に設置され、前記磁石推動棒６６の後端面には前記円形歯車８３と噛み合ったラック８８が固定的に設置され、前記第二凹溝７３の中にある二回畳まれた前記不織布袋５４が右方へスライドして前記第一回収溝３５の中に伸びることができ、この時に、前記第一回収溝３５は折り畳まれた前記不織布袋５４を固定し、前記不織布袋５４が自身の弾性で折畳状態を解くことを避け、次に、前記環状電磁石６３は停電され、前記磁石推動棒６６は前記第一捻りばね２４の捻りによって左方へスライドし、前記磁石推動棒６６が左方へスライドした後に、前記磁石推動棒６６は前記ラック８８によって前記円形歯車８３を回転連動させ、前記円形歯車８３は前記第二傘歯車８０を回転連動させ、前記第二傘歯車８０は前記第一傘歯車７９と前記歯止め８６とを回転連動させ、この時に前記歯止め８６は前記ラチェット８７を回転連動させることができ、前記ラチェット８７は前記第三摩擦輪７５を回転連動させ、前記第三摩擦輪７５が前記回収箱３４を連動させて下方へ一定の距離をスライドさせ、即ち、前記右方折畳機構９６が二次折畳を完成した後に、前記回収箱３４は一定の距離を降下し、前記不織布袋５４に押し込まれていない前記第一回収溝３５を前記第二凹溝７４と同じ水平線に位置させ、前記回収箱３４の中にある前記第一回収溝３５の中にいずれも折り畳まれた前記不織布袋５４を押し込んだ後に、前記第二スライド板３２が下方へスライドし、前記第二摩擦輪２８と摩擦でき、前記第二スライド板３２は前記第二摩擦輪２８を回転連動させ、前記第二摩擦輪２８は前記第二リール２９を回転連動させ、前記第二リール２９が回転し、前記第二鋼線６８を緩み、前記第二鋼線６８が緩められた後に、前記推動棒６９は前記第一ばね７０の弾力によって右方へスライドし、前記回収箱３４を前記スライド空間３３の中から押し出し、前記回収箱３４が前記スライド空間３３から押し出された後に、前記第二スライド板３２が前記第二ばね３１の弾力によて初期位置に戻り、前記回収箱３４を再び前記第二スライド板３２に取り付け、前記包装固定機構９７は引き続き作動する。
【００２３】
設備全体の作動手順は以下の通りである。
【００２４】
１、まず前記不織布袋５４を前記第一ベルト１７と前記第一摩擦輪５１との間に置き、前記不織布袋５４を置いた後に、前記レーザセンサ１３は検知で前記第一モータ５５をしばらく作動させ、前記第二モータ４１はしばらく経った後に作動する。
【００２５】
２、前記第一モータ５５は前記第一駆動軸５７を回転連動させ、前記第一駆動軸５７は前記第一プーリ５６を回転連動させ、前記第一プーリ５６は前記第一ベルト１７を回転連動させ、この時、前記第一ベルト１７は前記不織布袋５４を右方へ前記作業空間３６の中に送り、前記不織布袋５４にある前記第一永久磁石５８が前記第一抜き穴１２と前記第二抜き穴１９とが面一になる時、前記第三永久磁石１０は前記不織布袋５４の上方にある前記第二永久磁石６２を吸引し、前記第四永久磁石２１は前記不織布袋５４の下方にある前記第二永久磁石６２を吸引し、即ち、この時に上下の前記第二永久磁石６２が第一永久磁石５８と離れ、第二永久磁石６２が前記提手バックル６１を連動させて前記不織布袋５４から取り外し、設備は自動的に前記提手バックル６１を取り外すことができ、折り畳む時に前記提手バックル６１の妨害を受けるためシワ  を生じることはなく、取り外し可能な前記提手バックル６１は使用中に壊れても取り替えられることができ、汎用性が強い。
【００２６】
３、次に、前記第二永久磁石６２を取り外した前記不織布袋５４は右方へスライドして前記作業空間３６の中に入り、且つ前記第一凹溝７２の真上方に位置し、この時に、前記第二モータ４１は前記第二駆動軸４２と前記スクリュー３７とを連動させて一回正逆回転させ、前記スクリュー３７は前記雌ねじ３９によって前記第一スライド板３８を連動させて上下にスライドさせ、前記押出板４４は前記第一スライド板３８に駆動されて下方へ前記第二永久磁石６２を取り外した前記不織布袋５４を前記第一凹溝７２の中に押し込み、そして上方へ初期位置に戻る。
【００２７】
４、それと同時に、前記第二駆動軸４２は前記第三プーリ４３を回転連動させ、前記第三プーリ４３は前記第二ベルト４６によって前記第四プーリ４７を回転連動させ、前記第四プーリ４７は前記第一カム４８を回転連動させ、前記第一カム４８が回転した後に前記第三永久磁石１０の吸着した前記第二永久磁石６２を前記第二スライド孔１１の中に叩き込み、前記第二永久磁石６２は前記第二スライド孔１１を通過した後に前記第二回収溝９０の中に入り、設備は運動エネルギーに対する利用率が高く、前記不織布袋５４を置く前に顧客は手動で前記第二永久磁石６２を取り外す必要がなく、設備は自動的に前記提手バックル６１を回収でき、簡単で便利である。
【００２８】
５、前記不織布袋５４が前記第一凹溝７２に押し込まれて一回折り畳まれた後に、前記不織布袋５４は力を受けて前記スイッチ７１を圧迫し、前記スイッチ７１は圧迫を受けた後に、前記環状電磁石６３は通電して前記磁石推動棒６６を排斥し、前記磁石推動棒６６が右方へスライドして前記第一凹溝７２の中にある前記不織布袋５４を右方へ前記第二凹溝７３の中に押し込んで第二回の折畳を行い、二回折り畳まれた前記不織布袋５４の占めたスペースが少なく、収納に便利である。
【００２９】
６、それと同時に、前記磁石推動棒６６は右方へスライドし、且つ前記第一鋼線６５を通じて前記第一リール２２を回転連動させ、前記第一リール２２は前記第二カム２５を回転連動させ、前記第二カム２５が回転した後に、前記第四永久磁石２１の吸着した前記第二永久磁石６２は前記第三スライド孔２０の中に叩き込まれ、前記第二永久磁石６２は前記第三スライド孔２０を通過して前記第二回転溝９０の中に入る。
【００３０】
７、前記第二凹溝７３の中にある二回畳まれた前記不織布袋５４が右方へスライドして前記第一回収溝３５の中に伸びることができ、この時に、前記第一回収溝３５は折り畳まれた前記不織布袋５４を固定し、前記不織布袋５４が自身の弾性で折畳状態を解くことを避け、設備は折り畳まれた前記不織布袋５４を統一に固定し、回収された前記不織布袋５４は整然である。
【００３１】
８、次に、前記環状電磁石６３は停電され、前記磁石推動棒６６は前記第一捻りばね２４の捻りによって左方へスライドし、前記磁石推動棒６６が左方へスライドした後に、前記磁石推動棒６６は前記ラック８８によって前記円形歯車８３を回転連動させ、前記円形歯車８３は前記第二傘歯車８０を回転連動させ、前記第二傘歯車８０は前記第一傘歯車７９と前記歯止め８６とを回転連動させ、この時に前記歯止め８６は前記ラチェット８７を回転連動させることができ、前記ラチェット８７は前記第三摩擦輪７５を回転連動させ、前記第三摩擦輪７５が前記回収箱３４を連動させて下方へ一定の距離をスライドさせ、即ち、前記右方折畳機構９６が二次折畳を完成した後に、前記回収箱３４は一定の距離を降下し、前記不織布袋５４に押し込まれていない前記第一回収溝３５を前記第二凹溝７４と同じ水平線に位置させ、前記回収箱３４の中にある前記第一回収溝３５の中にいずれも折り畳まれた前記不織布袋５４を押し込んだ後に、前記第二スライド板３２が下方へスライドし、前記第二摩擦輪２８と摩擦でき、前記第二スライド板３２は前記第二摩擦輪２８を回転連動させ、前記第二摩擦輪２８は前記第二リール２９を回転連動させ、前記第二リール２９が回転し、前記第二鋼線６８を緩み、前記第二鋼線６８が緩められた後に、前記推動棒６９は前記第一ばね７０の弾力によって右方へスライドし、前記回収箱３４を前記スライド空間３３の中から押し出し、前記回収箱３４が前記スライド空間３３から押し出された後に、前記第二スライド板３２が前記第二ばね３１の弾力によて初期位置に戻り、前記回収箱３４を再び前記第二スライド板３２に取り付け、前記包装固定機構９７は引き続き作動し、設備は高い自動化レベルと、素早い反応速度と、簡単明白な操作方法を有する。
【００３２】
以上の実施例はあくまで本発明の技術的原理と特徴を説明するためのものであり、本分野の技術者に本発明を理解できることと実施できることを目的とし、本発明を限定するためのものではなく、本発明の意義と原則のもとで行われたいかなる修正と、等価置換と改善などは本発明の保護範囲に含まれるべきである。
【要約】
【課題】本願は不織布袋用の多層折畳と固定設備を開示した。
【解決手段】
本願は不織布袋用の多層折畳と固定設備を開示し、主体を含み、前記主体の左端面には主体ヘッドが固定的に設置され、前記主体の中には作業空間が設置され、本願発明である設備は不織布袋の提手バックルを取り出した後に袋に二次畳みを行い、折り畳まれた不織布袋は統一に回収箱に収納され、そして設備は折り畳まれた不織布袋を固定し、設備によって回収された不織布袋は整然であり、同時に二次畳みされた後の不織布袋が占めるスペースは少なく、保存と収納に便利であり、また、設備は運動エネルギーに対する利用率が高く、不織布袋を置く前に顧客は手動で第二永久磁石を取り外し必要がなく、さらに、設備は自動的に提手バックルを回収できる。
【選択図】図１【図１】
0006814345.tif 000002
【図２】
0006814345.tif 000003
【図３】
0006814345.tif 000004
【図４】
0006814345.tif 000005
【図５】
0006814345.tif 000006
【図６】
0006814345.tif 000007
【図７】
0006814345.tif 000008